(57)【要約】      （修正有）【課題】大掛かりな昇降設備等を用いないで、天井等に空調機器等の設備機器を取り付けるようにする。【解決手段】巻回テ−プ２００を必要に応じて引き出し、手を離すと自動的に巻き戻されるテ−プ機構２と、テ−プ機構２と連動してテ−プ機構における巻回テ−プを引き出しすると巻回テ−プの引き出し方向に共に回転し、又、巻回テ−プから手を離すと巻回テ−プが自動的に巻き戻される方向に共に回転することができると共にロック部３０１を有してなるロック・回転機構３と、ロック・回転機構にけるロック部との間でロック操作を行い設備機器を任意の上昇又は降下位置で停止させることができるロック部４０００を有すると共に、当該停止位置を除いてロック・回転機構におけるロック部との間でのロック操作が行なわれないようにするロック回避部４０３とを有してなるロック機構４とを備えている・取り外し手動補助昇降装置Ｘを提供する。【選択図】図１
2008094569.tif 000002
【特許請求の範囲】
【請求項１】
空調機器などの設備機器を上昇させ又は降下させて当該設備機器を天井などに取り付け又は取り外すことができる設備機器の取り付け・取り外し手動補助昇降装置であって、
巻回テ−プを必要に応じて引き出し、又、手を離すと自動的に巻き戻されるテ−プ機構と、
当該テ−プ機構と連動して当該テ−プ機構における前記巻回テ−プを引き出しすると当該テ−プの引き出し方向に共に回転し、又、当該巻回テ−プから手を離すと当該巻回テ−プが自動的に巻き戻される方向に共に回転することができると共に、ロック部を有してなるロック・回転機構と、
当該ロック・回転機構にける前記ロック部との間でロック操作を行い前記設備機器を任意の上昇又は降下位置で停止させることができるロック部を有すると共に、当該停止位置を除いて前記ロック・回転機構における前記ロック部との間でのロック操作が行なわれないようにするロック回避部とを有してなるロック機構と
を備えてなることを特徴とする設備機器の取り付け・取り外し手動補助昇降装置。
【請求項２】
設備機器の取り付け・取り外し手動補助装置が、緊急時にロック・回転機構に作用してロック操作を行い設備機器の上昇又は降下を停止させることができる緊急時停止安全機構を備えてなることを特徴とする、請求項１に記載された設備機器の取り付け・取り外し手動補助昇降装置。
【発明の詳細な説明】
【技術分野】
【０００１】
本発明は、設備機器の取り付け・取り外し手動補助昇降装置に関し、特に、空調機器を上昇させ又は降下させて当該設備機器を天井に取り付け又は天井から取り外す際に、人手を補助して手動により空調機器を上げ下げして取り付け・取り外しができるようにする装置に関するものである。
【背景技術】
【０００２】
従来、天井などに空調機器などの設備機器を取り付ける場合、複数の人間で作業したり、圧縮エア−やコンプレッサ−などを利用した大掛かりな昇降装置等を用いて設置していた。
その為、取り付け作業に多数の人手を要したり、又、大掛かりな昇降装置が必要で費用を要したり、人力以外の動力が必要であったり、その運搬・搬入に手間取ったり、当該昇降装置を置く場所の確保が難しかったりする等の欠点があった。
【発明の開示】
【発明が解決しようとする課題】
【０００３】
本発明は、上記従来技術の有する欠点を解消することの出来る技術を提供することを目的としたものである。
本発明の他の目的や新規な特徴については本件明細書及び図面の記載からも明らかになるであろう。
【課題を解決するための手段】
【０００４】
本発明の特許請求の範囲は、次の通りである。
（請求項１）    空調機器などの設備機器を上昇させ又は降下させて当該設備機器を天井などに取り付け又は取り外すことができる設備機器の取り付け・取り外し手動補助昇降装置であって、
巻回テ−プを必要に応じて引き出し、又、手を離すと自動的に巻き戻されるテ−プ機構と、
当該テ−プ機構と連動して当該テ−プ機構における前記巻回テ−プを引き出しすると当該テ−プの引き出し方向に共に回転し、又、当該巻回テ−プから手を離すと当該巻回テ−プが自動的に巻き戻される方向に共に回転することができると共に、ロック部を有してなるロック・回転機構と、
当該ロック・回転機構にける前記ロック部との間でロック操作を行い前記設備機器を任意の上昇又は降下位置で停止させることができるロック部を有すると共に、当該停止位置を除いて前記ロック・回転機構における前記ロック部との間でのロック操作が行なわれないようにするロック回避部とを有してなるロック機構と
を備えてなることを特徴とする設備機器の取り付け・取り外し手動補助昇降装置。
（請求項２）  設備機器の取り付け・取り外し手動補助装置が、緊急時にロック・回転機構に作用してロック操作を行い設備機器の上昇又は降下を停止させることができる緊急時停止安全機構を備えてなることを特徴とする、請求項１に記載された設備機器の取り付け・取り外し手動補助昇降装置。
【発明の効果】
【０００５】
本発明によれば、空調機器などの設備機器に、本発明の取り付け・取り外し手動補助昇降装置を取付け、その装置におけるテ−プを引き出したり、テ−プから手を離したりする巻尺様の操作により、設備機器を任意の上下位置で停止させることができるので、大掛かりな昇降装置が必要なく、設備機器の取り付け・取り外しを一人の人間が手動で行うことができる。
本発明の装置は、巻尺様の小型、薄型の装置に構成され、天井のパネル等における狭い隙間でも作業が可能である。
【発明を実施するための最良の形態】
【０００６】
天井に空調機器を取り付ける場合、例えば、図１１（Ｃ）に示すように、天井裏１１００にアンカ−ボルト１１０１を打ち込み、当該アンカ−ボルト１１０１に、図１１（Ｄ）に示すような空調機器１１０２を取付け、天井用パネル１１０３に設けた孔（隙間）１１０４を、図１１（Ｅ）に示すような化粧用パネル１１０５にて塞ぐ工法がある。
本発明では、当該天井への空調機器の取付けに際し、例えば、図１１（Ｂ）に示すように、アンカ−ボルト１１０１に、本発明の設備機器の手動補助昇降装置Ｘを取り付け、天井用パネル１１０３に設けた孔（隙間）１１０４から、当該設備機器の手動補助昇降装置Ｘにおけるテ−プを引き出し、図１１（Ａ）に示すように、上昇させ天井に取り付けようとする空調機器１１０２の前記のアンカ−ボルト１１０１などの締結部に対応した同様のボルトなどの締結部１１０２１に取り付け、例えば、床面などに置かれた当該空調機器１１０２を上昇させて天井に取り付けることができる。
【０００７】
図１は、本発明の設備機器の取り付け・取り外し手動補助昇降装置Ｘの構成例で、ケ−ス１にテ−プ機構２が内蔵されている。
当該テ−プ機構２は、巻尺と同様の構成となっており、例えば、図１０（Ｂ）に示すように、巻回テ−プ２００が当該テ−プ２００の巻き取り用の回転ドラム２０１に巻回され、当該回転ドラム２０１は、当該ドラム２０１の内側の軸２０２に軸支されている。当該テ−プ２００は、当該テ−プ２００を巻き込み方向に付勢するコイルバネ２０３により付勢されており、当該巻回テ−プ２００は、必要に応じてケース１の外部に引き出すことができ、又、手を離すと当該コイルバネ２０３の作用により自動的に巻き戻される。
本発明の設備機器の取り付け・取り外し手動補助昇降装置Ｘは、図１０（Ａ）に示すように、薄型に構成されている。
【０００８】
本発明の設備機器の取り付け・取り外し手動補助昇降装置Ｘは、図１及び図１０（Ａ）に示すように、当該テ−プ機構２に連設してロック・回転機構３が設けられている。
当該ロック・回転機構３は、当該テ−プ機構２と連動して当該テ−プ機構２における前記巻回テ−プ２００を引き出しすると、当該テ−プ２００の引き出し方向に共に回転し、又、当該巻回テ−プ２００から手を離すと、当該巻回テ−プ２００が自動的に巻き戻される方向に共に回転することができる。当該ロック・回転機構３は、前記の回転ドラム２０１の内側の軸２０２と同心軸上にあればよい。
当該ロック・回転機構３は、例えば、図示のような、歯車状に構成され、円形の本体部３００の周囲に適宜間隔を空けて、突起状の四角形状のロック部３０１を有してなる。
当該機構３における当該ロック部３０１は、後述のロック機構４との間でロック操作を行うことができる。
【０００９】
本発明の設備機器の取り付け・取り外し手動補助昇降装置Ｘは、図１及び図１０（Ａ）に示すように、ロック機構４を備えてなる。
当該ロック機構４におけるロック機構本体部４００は、前記ロック・回転機構３における前記ロック部３０１との間でロック操作を行うことができるロック部４０００を有し、前記ロック・回転機構３における突起状の四角形状のロック部３０１に対応して、当該ロック部４０００は、当該ロック操作を行うことができるようにＬ字状のコ−ナ−部を有するように構成されている。
図１及び図１０（Ａ）に示すように、当該ロック機構４は、当該ロック機構本体部４００の上端部が、バネ４０１によりケース１に付勢されている。
図示のように、当該ロック機構本体部４００の下側端部は、ケース１から突き出ししており、当該端部４０２を押すと、当該ロックを解除することができるようになっている。
図１及び図１０（Ａ）に示すように、当該ロック機構４における上記のロック部４０００の下部には、前記ロック・回転機構３における前記ロック部３０１と当該ロック部４０００との間でのロック操作が行なわれないようにするロック回避部４０３を有してなる。
当該ロック回避部４０３は、例えば、図示のような舌状に構成され、当該ロック機構本体部４００の軸４０４に軸支され、当該軸４０４を中心として回転することができるようになっている。
【００１０】
次に、本発明の設備機器の取り付け・取り外し手動補助昇降装置Ｘの作用及び使用例について説明する。
前記のように、又、図１に示すように、巻回テ−プ２００を引き出しすると、ロック・回転機構３が当該テ−プ２００の引き出し方向と同じ方向に回転する。
当該回転により、図２に示すように、当該ロック・回転機構３におけるロック部３０１も回転し、特に、その理解を容易にする為に、指示する当該ロック部３０１０が、ロック機構４のロック回避部４０２を押し上げ動かし、順次、図２、図３を経由して、当該ロック部３０１のロック部３０１０は、当該ロック・回転機構３の回転に伴い、図４に示すように、当該ロック回避部４０３から離れた状態へと移行する。
【００１１】
一方、図５に示すように、図４の状態から、巻回テ−プ２００を巻き上げると、当該ロック・回転機構３は、前記のテ−プ機構２と連動して動き、当該テ−プ機構２は、コイルバネ２０３の作用により自動的に巻き戻されるようになっているので、当該ロック・回転機構３におけるロック部３０１０は、当該テ−プ２００の巻き戻し方向と同じ方向に回転する。
当該回転により、図６及び図７の状態になって、順次、当該ロック・回転機構３におけるロック部３０１も回転し、特に、その理解を容易にする為に、指示する当該ロック部３０１０が、ロック機構４のロック回避部４０３に近づいた状態へと移行する。又、図６に示すように、当該ロック部３０１０が当該ロック機構４のロック回避部４０３とロック部４０００との間に位置する状態にもなる。
次いで、当該図７に示す状態において、当該巻回テ−プ２００から手を離すと、当該巻回テ−プ２００が自動的に巻き戻される方向に、ロック・回転機構３におけるロック部３０１（指示ロック部３０１０）も回転し、図６の状態になり、当該ロック部３０１０とロック機構４のロック部４０００との間で、ロックがされることになる。
当該図６に示すロック状態とすることにより、巻回テ−プ２００の引き出し及び巻き上げは行われず、又、それに伴いロック・回転機構３も回転せず、当該ロック操作により、空調機器を任意の上昇位置で停止させることができ、当該動作を繰り返し行えば、順次、それよりも上昇した位置で、再び停止させることもできる。
【００１２】
当該空調機器の上昇停止操作を、図８に基づいて説明する。
図１１に示すように天井位置に取り付けた本発明の設備機器の取り付け・取り外し手動補助昇降装置Ｘにおける巻回テ−プ２００を、前記で説明した図１に示す状態から図４に示す状態へと引き出し、空調機器のある位置（例えば、床面や作業台上）まで、巻回テ−プ２００を引き出し（動作１）、図１１（Ａ）に示すように空調機器１１０２の締結部１１０２１に、引き出した当該巻回テ−プ２００の端部を取り付ける。
次いで、前記し、又、図８に示すように、図５，図６及び図７へと移行させて、当該空調機器の位置を上昇させる（動作２）。当該空調機器の上昇は、当該空調機器の片側で実施される。当該巻回テ−プ２００が巻き取られていく課程で、図７に示す状態から、今まで持ち上げていく課程にあった空調機器から手を離すと、ロック・回転機構３が逆回転し始め、当該機器から手を離しても、ロック機構４とロック・回転機構３との間で、前記図６に示すようなロック操作が行われ（動作３）、当該機器は落下せずに、その位置で停止される。
更に、図６に示すロック状態から、再び、当該停止している空調機器の他片側を少し持ち上げると、図６に示す状態から、図７の状態に移行し、図８に示すように、図７、図５、図６及び図７の状態を繰り返すと、巻回テ−プ２００が巻き取られ、前記よりも高い位置で、再び、当該機器から手を離しても、ロック機構４とロック・回転機構３との間で、前記図６に示すようなロック操作が行われ（動作３）、当該機器は落下せずに、その位置で停止される。
当該停止位置は、巻回テ−プ２００の引き出し長さや当該操作の選択等により、可変変更できる。
本発明の装置Ｘは、巻尺様の小型、薄型の装置に構成され、上記のような空調機器の上昇に際し、天井のパネル等における狭い隙間でも作業が可能である。
【００１３】
当該空調機器の降下（停止）操作を、図９に基づいて説明する。
図６に示す状態から、空調機器を持ち上げ、図７の状態に移行させ、更に、空調機器を持ち上げ、前記の図１に示す状態にすると（動作４）、巻回テ−プ２００の引き出しが可能となる。
そこで、図９に示すように、巻回テ−プ２００を引き出し、空調機器を降下さて、前記の図４に示す状態に移行し、次いで、空調機器を少し持ち上げ、図５、図６及び図７に移行させ（動作５）、前記の上昇動作と同様に当該機器から手を離すと、図６に示すロック状態となり（動作５）、その位置で、当該機器は落下せずに、その位置で停止される。
更に、当該空調機器を持ち上げ巻回テ−プ２００の引き出しを可能とする動作４と、空調機器を少し持ち上げロックさせる動作５との繰り返しにより、当該機器を更に降下させることができる。例えば、天井から床面まで空調機器を降下させることができる。
本発明の装置Ｘは、巻尺様の小型、薄型の装置に構成され、上記のような空調機器の降下に際し、天井のパネル等における狭い隙間でも作業が可能である。
【００１４】
当該図６に示すロック状態は、ロック機構４におけるロック機構本体部４００の下側端部のケース１から突き出した端部を押して、当該ロックを解除してもよいが、本発明の設備機器の取り付け・取り外し手動補助昇降装置Ｘが天井にあるような場合には手が届かないが、当該手動補助昇降装置Ｘの位置関係如何により当該ロック解除をすることができる。
【００１５】
本発明の設備機器の取り付け・取り外し手動補助昇降装置Ｘには、図１に示すように、
緊急時の安全機構５を備えてなる。
当該安全機構５は、当該空調機器の上昇・降下に際し、巻回テ−プ２００が引き伸ばされてしまったような場合に、図１２に示すように、当該安全機構５におけるバネ５００により付勢された安全機構本体部５０１がロック・回転機構３側に突き出し両者の間でロック操作が行なわれ、空調機器の上昇・降下を緊急停止させ、安全に遂行させる機能を果たすことができる。
【産業上の利用可能性】
【００１６】
本発明は、エアコン、空気洗浄機、温風機などの空調機器の他、照明機器、防災機器、放送機器などの設備機器全般にも適用することができる。
【図面の簡単な説明】
【００１７】
【図１】本発明の実施例における設備機器の取り付け・取り外し手動補助昇降装置の構成図である。
【図２】本発明の実施例における設備機器の取り付け・取り外し手動補助昇降装置の構成図である。
【図３】本発明の実施例における設備機器の取り付け・取り外し手動補助昇降装置の構成図である。
【図４】本発明の実施例における設備機器の取り付け・取り外し手動補助昇降装置の構成図である。
【図５】本発明の実施例における設備機器の取り付け・取り外し手動補助昇降装置の構成図である。
【図６】本発明の実施例における設備機器の取り付け・取り外し手動補助昇降装置の構成図である。
【図７】本発明の実施例における設備機器の取り付け・取り外し手動補助昇降装置の構成図である。
【図８】本発明の実施例における設備機器の取り付け・取り外し手動補助昇降装置の当該設備機器の上昇の際の作用及び使用例の説明図である。
【図９】本発明の実施例における設備機器の取り付け・取り外し手動補助昇降装置の当該設備機器の降下の際の作用及び使用例の説明図である。
【図１０】（Ａ）本発明の実施例における設備機器の取り付け・取り外し手動補助昇降装置の側面図、（Ｂ）本発明の実施例における設備機器の取り付け・取り外し手動補助昇降装置の構成図である。
【図１１】（Ａ）本発明の実施例における設備機器の取り付け例の説明図、（Ｂ）本発明の実施例における設備機器の取り付け例の説明図、（Ｃ）本発明の実施例における設備機器の取り付け例の説明図、（Ｄ）本発明で使用される設備機器の説明図、（Ｅ）本発明で使用される化粧用パネルの説明図である。
【図１２】本発明の実施例を示す安全機構の説明図である。
【符号の説明】
【００１８】
１    ケ−ス
２    テ−プ機構
３    ロック・回転機構
４    ロック機構
５    安全機構
２００    巻回テ−プ
３０１    ロック・回転機構におけるロック部
４０２    ロック回避部
４０００  ロック機構におけるロック部
Ｘ    設備機器の取り付け・取り外し手動補助昇降装置
【図１】
2008094569.tif 000003
【図２】
2008094569.tif 000004
【図３】
2008094569.tif 000005
【図４】
2008094569.tif 000006
【図５】
2008094569.tif 000007
【図６】
2008094569.tif 000008
【図７】
2008094569.tif 000009
【図８】
2008094569.tif 000010
【図９】
2008094569.tif 000011
【図１０】
2008094569.tif 000012
【図１１】
2008094569.tif 000013
【図１２】
2008094569.tif 000014